(57)【要約】無線受信器（１００）は、中間周波数を自動的に調整するＩＦ（中間周波数）フィルタ（２００）を有する。フィルタ（２００）は、フィルタバンク（３０４）、積算サブバンド構造（３２２）、および積算サブバンド電力推定器／スイッチ制御回路（３２４）を含む。フィルタバンク（３０４）は、各サブバンドが所定の周波数帯域を有するサブバンドを生成する。積算サブバンド構造（３２２）は、付加的にバンド幅が増加する特性を有するローパスフィルタを提供するために、サブバンドを選択的に合計する。ローパスフィルタの電力推定は、ローパスフィルタの出力が付近の基地局の干渉に対して適切か否かを決定するために用いられる。また、付近の基地局による干渉がない場合は、ＩＦフィルタ（２００）は、所望の基地局の信号強度に応じて、適切なフィルタ出力を選択する。
2005536109.tif 000002
【特許請求の範囲】
【請求項１】
受信器が：
入力信号を受信し、第１のサブバンド信号のセットを生成するためのフィルタバンクと；前記第１のサブバンド信号のセットを受信し、第２のサブバンド信号のセットを生成し、同第２のサブバンド信号のセットは近接する干渉の測定信号を含む、サブバンド情報ユニットと；
前記第２のサブバンド信号のセットを受信し、前記近接する干渉の測定信号の少なくとも一部分に基づいて、前記第２のサブバンド信号のセットからのサブバンド信号を選択する、制御ユニット；
からなる受信器。
【請求項２】
前記制御ユニットが、複数の電力推定を行うための複数の電力推定器を備え、同電力推定器はそれぞれ、前記第２のサブバンド信号のセットの所定のサブバンド信号を受信すべく結合されて、前記所定のサブバンド信号の電力を推定する、請求項１に記載の受信器。
【請求項３】
前記制御ユニットが更に、
前記近接する測定信号の電力推定と、前記第２のサブバンド信号のセットの別の所定のサブバンド信号の電力推定と、を比較して、その比較に応答する、近接する干渉の表示器を有する、第１の比較器を備える、請求項２に記載の受信器。
【請求項４】
前記制御ユニットが更に、前記第２のサブバンド信号のセットの第１の所定のサブバンド信号の電力推定と、拡張しきい値との電力推定を比較するための第２の比較器からなり、同第２の比較器はその比較に応答する拡張表示器を有する、請求項３に記載の受信器。
【請求項５】
前記制御ユニットが更に、複数の電力推定の一部分を受信するための第３の比較器と前記拡張表示器とからなり、前記第３の比較器は、同拡張表示器に基づき、前記複数の電力推定の一部分の選択された電力推定を行う、請求項４に記載の受信器。
【請求項６】
前記制御ユニットが、前記近接する干渉表示器に基づいて選択されたサブバンド信号として、前記選択された電力推定に対応する前期第２のサブバンド信号のセットのサブバンド信号を選択的に提供する、請求項５に記載の受信器。
【請求項７】
前記複数の電力推定の各部分が、前記第１の所定サブバンド信号のパスバンド以下のパスバンドを有する、前記サブバンド信号の第２のセットのサブバンド信号に対応する、請求項５に記載の受信器。
【請求項８】
前記受信器が、ＦＭ受信器、ＡＭ受信器、陸上携帯電話、テレビジョン受像器、パーソナルディジタル補助製品、コンピュータ、無線通信装置、衛星放送受信器、およびＯＦＤＭ（直交周波数分割多重）受信器で構成されるグループから選択された信号を受信する、請求項１に記載の受信器。
【請求項９】
受信器中での動的フィルタリングの方法で：
入力信号を受信する工程と；
前記入力信号からの複数のバンドパスフィルタサブバンド信号を生成する工程と；
前記複数のバンドパスフィルタサブバンド信号から複数のローパスフィルタサブバンド信号を生成する工程と；
前記複数のローパスフィルタサブバンド信号のうち１つを選択するために、同複数のローパスフィルタサブバンド信号のうち、所定の１つを用いる工程と；
出力信号として、前記複数のローパスフィルタサブバンド信号のうち、選択された１つを
提供する工程と；
からなる方法。
【請求項１０】
前記各々の複数ローパスフィルタサブバンド信号の電力推定を生成する工程を更に含む、請求項９に記載の方法。
【発明の詳細な説明】
【技術分野】
【０００１】
広帯域ＦＭ（周波数変調）放送装置において、装置の最も重要な特色の１つは、ＦＭ変調信号（無線信号）の帯域幅が変調信号（音声信号）のエンベロープとともに変化することである。
【背景技術】
【０００２】
しかしながら従来のＦＭ受信器では、中間周波数ステージの帯域幅は固定されている（約１００ＫＨｚ、片面の帯域）。受信ＦＭ信号強度が弱い場合、過剰なノイズの影響により良好なステレオ分離を得ることは難しくなる。また、近接する局（通常、所望の局から約２００ＫＨｚ離れている）からの干渉が、信号品質を低下させ、非線形復調処理の捕獲効果によって干渉信号が極めて強い場合、所望の局信号を完全に置き換えることもある。
【発明の開示】
【発明が解決しようとする課題】
【０００３】
その結果、信号受信状態によるＦＭ受信器のＩＦ（中間周波数）帯域幅を自動的に調整できるＦＭ受信器を備えることが望まれている。
【課題を解決するための手段】
【０００４】
本発明は、一例を示したものであって、添付図によって限定されるものではない。図中では類似の参照番号は類似の要素を示す。
図中の要素を簡単、明瞭に示すために、縮尺通りには描かれていない。例えば、図中におけるいくつかの要素の寸法は、本発明における実施例の理解を向上させるために、他の要素よりも誇張されている。
【発明を実施するための最良の形態】
【０００５】
図１は、本発明の１つの実施例による無線受信器１００を示す。無線受信器１００は、制御回路１１２へ導体１４４を介して双方向結合されたユーザインタフェイス１１０を含む。制御回路１１２は、導体１４２を介して無線周波数（ＲＦ）ユニット１０６、１０８へ結合され、導体１４０を介して中間周波数（ＩＦ）ユニット１１４へ結合され、そして導体１３８を介してベースバンドユニット１１６へ、結合される。ＲＦユニット１０６は、導体１２０を介してＲＦアンテナ１０２へ結合され、導体１２４を介してＩＦユニット１１４へ双方向結合される。ＲＦユニット１０８は、導体１２２を介してＲＦアンテナ１０４へ結合され、導体１２６を介してＩＦユニット１１４へ双方向結合される。ＩＦユニット１１４は、導体１２８，１３０および１３２を介してベースバンドユニット１１６へ結合される。ベースバンドユニット１１６は、導体１３４を介して音声処理ユニット１５０とデータ処理ユニット１４８へ結合される。音声処理ユニット１５０はアンプおよびスピーカー１４８へ結合され、スピーカーは導体１３６を介して出力信号を供給する。データ処理ユニット１４８は、ユーザインタフェイス１１０へ双方向結合される。使用者は、導体１４６を介してユーザインタフェイス１１０へ情報を提供したり、ユーザインタフェイス１１０から情報を受けてもよい。
【０００６】
動作中、ＲＦアンテナ１０２および１０４は無線信号を捕獲し、ＲＦユニット１０６および１０８へ、供給する。ＲＦユニット１０６および１０８は、受信無線信号を、無線受信器の設計によって決定される共通の中間周波数域へ変換する。言い換えれば、ＲＦユニット１０６および１０８は、受信した無線信号の周波数を、ＩＦユニット１１４の要求に応じて、より低い周波数、あるいはより高い周波数へ変換してもよい（従って、「低周波数ユニット」や、「高周波数ユニット」としてみなしてもよい）。ＩＦユニット１１４は
、導体１２４および１２６を介してＩＦ信号を受信し、アナログ・ディジタル変換器を用いてＩＦ信号をディジタル化する。ＩＦユニット１１４は、ディジタルミキシングも行って、位相内と直交位相のディジタル信号を生成し、その信号は、導体１２８と１３０を介してベースバンドユニット１１６へ出力される。代替チューナーの実施例においては、ＩＦユニット１１４は、場合による。言い換えれば、ＲＦユニット１０６および１０８は、アンテナ１０２および１０４からの受信無線信号を直接、ベースバンドへ変換してもよいし、ディジタル化されたベースバンド信号を直接、ベースバンドユニット１１６へ供給するアナログ・ディジタル変換器を含んでもよい。
【０００７】
ベースバンドユニット１１６は、中間周波数ユニット１１４からディジタル化された無線信号を受信する。具体例において、ＩＦユニットがない場合は、ベースバンドユニット１１６はＲＦユニット１０６と１０８から直接受ける。ベースバンドユニット１１６は、導体１３４を介して音声およびデータ情報を生成するために、信号処理、復調、そして復号化を実行する。ベースバンドユニット１１６によって実行された処理については、後の図を参照して更に詳述する。導体１３４を介した音声情報は、音声処理ユニット１５０へ送られる。音声処理ユニット１５０は、導体１３６を介して、受信器１００から音声出力を生成するアンプおよびスピーカー１１８へ結合される。例えば、これはオーディオスピーカから演奏される音楽であってもよい。もしくは更に処理するために、ベースバンドユニット１１６が、導体１３４を介してデータ情報をデータ処理ユニット１４８へ出力してもよい。データ処理ユニット１４８の出力部は、使用者が受信器１００の出力との交流を可能にするユーザインタフェイス１１０へ結合される。例えば、ユーザインタフェイス１１０は、無線ダイヤル、タッチ画面、モニタとキーボード、キーパッドや、他のあらゆる適切な入力／出力装置で表してもよい。データ情報は、テキスト、グラフ、あるいはディジタル形式に変換される他のあらゆる情報で表してもよい。
【０００８】
代わりの実施例において、無線受信器１００は、ＡＭ、ＦＭ、ＧＰＳ、ディジタルＴ．Ｖ．、Ｔ．Ｖ．、ディジタル／オーディオ放送、音声放送、ディジタル／ビデオ放送等の異なる形式のデータで用いられてもよい。更に、受信器１００は、無線周波数以外の周波数を受信すべく設計されてもよい。従って、アンテナ１０２および１０４は、様々なデータフォーマットを検知可能なセンサとみなしてもよい。更に、装置内の各センサやアンテナは、異なるフォーマットのデータを受信してもよいので、例えば、他のセンサが上に記載した、異なるタイプのデータを受信する間、１つのセンサが無線周波数を受信してもよい。図１の受信器１００は、２つのセンサ、もしくは２つのアンテナも表している（例えば、アンテナ１０２および１０４）；しかし、代わりの実施例として、信号や情報を捕獲するための多くのセンサを用いてもよい。
【０００９】
図２は、ベースバンドユニット１１６の一部分の１つの実施例である。ＩＦフィルタ２００は、導体１２８および１３０を介して、一対の同相信号と直交信号Ｉ１，Ｑ１と、Ｉ２，Ｑ２をそれぞれ受信する。ここでＩ１，Ｑ１は、センサもしくはアンテナ１０２を介して受信される信号に対応し、Ｉ２，Ｑ２は、センサもしくはアンテナ１０４を介して受信される信号に対応する。Ｑ１およびＱ２が、ディジタル化された直交信号（例えば、同相信号と比べて位相が９０度ずれた信号）を表すのに対し、Ｉ１およびＩ２は、ディジタル化された同相信号を表す。（更に以下に説明するように、Ｉ１，Ｑ１およびＩ２，Ｑ２等の各信号は、複素数として表現可能であり、ここでＩ１およびＩ２は実数部、Ｑ１およびＱ２は虚数部を表す）。ＩＦフィルタ２００は、導体２０２および２０４を介してチャネル処理ユニット２０６へ結合される。チャネル処理ユニット２０６は、導体２０８および２１０を介して復調器２１２へ結合され、復調器２１２は、導体２１４および２１５を介して信号処理ユニット２１６へ結合される。信号処理ユニット２１６は、導体１３４を介して音声／データ情報を供給する。ＩＦフィルタ２００、チャネル処理ユニット２０６復調器２１２、および信号処理ユニット２１６は、導体１３８を介して制御回路１１２へ
結合される。導体１３８は、異なる信号をユニット２００、２０６，２１２、および２１６へ転送したり、ユニット２００、２０６，２１２、および２１６から転送されるために、様々な導体を含む制御バスとしてみなしてもよい。例えば、導体１３２は、導体１３８の一部分を含んでいたり、中間周波数ユニット１１４への戻りを提供するフルバス１３８であってもよい。その結果、導体１３８を介して受信された制御信号が、導体１３２を介してＩＦ周波数ユニット１１４へ転送されてもよい。同様に、この制御信号や、制御信号の一部分が、導体１２４および１２６を介して、ＲＦユニット１０６および１０８へ、逆に転送されてもよい。あるいは、制御信号が、導体１４２を介して制御回路１１２から無線周波数ユニット１０６および１０８まで、直接送信されてもよい。
【００１０】
動作中、ＩＦフィルタ２００は、入力信号Ｉ１，Ｑ１、およびＩ２，Ｑ２の所望の周波数帯域から不要な信号およびノイズを除去する。ＩＦフィルタ２００は、フィルタリングされた一対の、同相信号と直交信号Ｉ１’，Ｑ２’、およびＩ２’，Ｑ２’を生成するために、近接したチャネルも抑制する。ここでＩ１’，Ｑ１’は、Ｉ１，Ｑ１に、Ｉ２’，Ｑ２’は、Ｉ２，Ｑ２にそれぞれ対応する。チャネル処理ユニット２０６は、Ｉ１’，Ｑ１’、およびＩ２’，Ｑ２’を受信し、単一の組合せ信号Ｉｃｏｍｂ、Ｑｃｏｍｂを生成すべく組み合わせる。あるいは、ＲＦユニット１０６および１０８が異なる周波数に調整される場合、チャネル処理ユニット２０６は、Ｉ１’，Ｑ１’やＩ２’，Ｑ２’等の、一方もしくは両方の入力信号を直接、導体２０８を介して復調器２１２へ、Ｉｂｙｐａｓｓ、Ｑｂｙｐａｓｓとして、提供されてもよい。従って、チャネル処理ユニット２０６は、ディジタル化された信号を入力する工程と、復調器２１２等の、ディジタル化された信号を更に処理する工程へ直接バイパスする工程、とを組合せるオプションを備える。チャネル処理ユニット２０６は、Ｉｃｏｍｂ，Ｑｃｏｍｂ等の組み合わされた信号と、Ｉｂｙｐａｓｓ，Ｑｂｙｐａｓｓ等のバイパス信号、の双方とも提供する。しかしながら、両チャネルともバイパスされる場合、信号Ｉｃｏｍｂ，Ｑｃｏｍｂはバイパス信号としても用いられる。チャネル処理ユニット２０６、および、Ｉｂｙｐａｓｓ，Ｑｂｙｐａｓｓは、異なるタイプの信号形式を受信することもできるので、Ｉ２’，Ｑ２’等の第２の信号が復調器２１２へ直接バイパスされる、異なる信号形式になる一方で、Ｉ１’，Ｑ１’等の１つの信号は、チャネル処理ユニット２０６によって処理され、導体２０８を介して出力される。これによって、チャネル処理ユニット２０６が更に処理するために、単一の組合せ信号か、様々な種類の信号か、のいずれかを提供できる。例えば、第２のアンテナが、第２の無線局からの信号や、ことなるデータフォーマットの信号を同時に供給する一方で、１つのアンテナが、１つの無線局からの信号を供給してもよい。チャネル処理ユニット２０６は、受信信号上でノイズ低減処理を実行してもよい。
【００１１】
図２に示す実施例は、ＩＦフィルタ２００およびチャネル処理ユニット２０６によって受信された２つの信号のみを示しているということにも留意すべきである。しかしながら、図１で説明したように、受信器１００は、１０２や１０４等の多くのアンテナを含んでもよい。本実施例において、各アンテナは、Ｉ１，Ｑ１等の、アンテナ自身の一対の同相信号と直交信号をＩＦフィルタ２００へ供給する。また、ＩＦフィルタ２００は、各アンテナに対応する複数のフィルタリングされた一対の同相信号と直交信号を供給する。同様にして、チャネル処理ユニット２０６は、単一の組合せ信号や、複数の小結合された信号を、適宜出力してもよい。さらに、チャネル処理ユニット２０６は、複数のバイパス信号を供給するので、１つ以上の入力信号が復調器２１２等の更なる処理ユニットへ、直接バイパスされてもよい。
【００１２】
復調器２１２は、チャネル処理ユニット２０６からＩｃｏｍｂ，Ｑｃｏｍｂ、およびＩｂｙｐａｓｓ，Ｑｂｙｐａｓｓを受信し、復調された信号を、導体２１４および２１５を介して信号処理ユニット２１６へ供給する。また、復調器２１２が信号Ｉｂｙｐａｓｓ，Ｑｂｙｐａｓｓを受信した場合は、復調器２１２は、導体２１４および２１５を介して、
復調されたＩｂｙｐａｓｓ，Ｑｂｙｐａｓｓを信号処理ユニット２１６へ供給してもよい。しかし上述のように、Ｉｂｙｐａｓｓ，Ｑｂｙｐａｓｓはオプションである。例えば、１つの実施例において、復調器２１２は、各入力信号（例えば、Ｉｃｏｍｂ，ＱｃｏｍｂとＩｂｙｐａｓｓ，Ｑｂｙｐａｓｓ）に対応する多重（ＭＰＸ）信号を供給するＦＭ復調器であってもよい。代わりの実施例として、復調器２１２は、ＡＭ復調器や、装置（例えば、受信器１００）や、入力信号Ｉ１，Ｑ１およびＩ２，Ｑ２に求められる、他のあらゆる信号形式に特化した復調器であってもよい。信号処理ユニット２１６は、導体２１４、２１５を介して受信した信号を、更に処理すべく実行して、導体１３４を介して音声／データ情報を出力してもよい。音声／データ情報は、単に音声情報、データ情報、あるいは、音声情報とデータ情報双方を組合せた情報を含んでいてもよい。図１に示す様に、このデータは、次に、データ処理装置や音声処理装置等の様々な種類の装置へ出力されてもよい。例えば上述のように、ＦＭ受信器において、復調器２１２は、ＭＰＸ信号を信号処理ユニット２１６へ出力する。本実施例において、適切な信号を各スピーカーへ供給するために、信号処理ユニット２１６は、ＭＰＸ信号を受信し、ステレオ復号を実行する。例えば、ＭＰＸ信号は、ステレオ装置における左右のスピーカー信号を供給するパイロットトーンを使用して復号化されてもよい。また、信号処理ユニット２１６は、更なる情報を後に続く処理ユニットへ供給するために、他の副搬送波信号（例えば、ＲＤＳやＤＡＲＣ）を復調してもよい。
【００１３】
図３は、ブロックダイヤグラム形式による、図２のＩＦフィルタ２００を示す。フィルタ部２００は、デシメータ３０２、フィルタバンク３０４、積算サブバンド構造３２２、積算サブバンドの電力推定器／スイッチ制御回路３２４、および８つのセレクタ３２６のうちの１つ、を含む。図に示す実施例において、ＩＦフィルタ２００は、実際にはフィルタ部３００と同等である、追加フィルタ部分も含む。追加フィルタ部分は、図２の導体１３０と２０４との間に結合される。
【００１４】
デシメータ３０２は、データ転送速度４８０ＫＳ／ｓの入力信号Ｉ１，Ｑ１を受信する入力部と、データ転送速度２４０ＫＳ／ｓの取り除かれた信号を供給する出力部を有する。フィルタバンク３０４は、多相サブフィルタ３１２、３１４、３１６および３１８、遅延素子３０６、３０８および３１０、そして１６ポイントの離散逆フーリエ変換（ＩＤＦＴ）３２０を含む。多相サブフィルタ３１２、３１４、３１６および３１８は、フィルタ関数Ｆ（ｚ）によって実施される。
【００１５】
【数１】
2005536109.tif 000003
【００１６】
ここで、Ｅｉは、ｉ相構成のローパスフィルタＦ（ｚ）の試作品である。フィルタ関数Ｆ（ｚ）は、１６段のナイキスト型フィルタとして設計され、線形位相の周波数応答を有する。例えば、フィルタバンク３０４は、「マルチレートシステムとフィルタバンク」，ｂｙ  Ｐ．Ｐ．Ｖａｉｄｙａｎａｔｈａ，ｐａｇｅ  １６５，ｐｕｂｌｉｓｈｅｄ  ｉｎ  １９９３  ｂｙ  Ｐｒｅｎｔｉｃｅ  Ｈａｌｌに説明されている方法を用いることによって実現される。しかし、例えば、複数の複素バンドパスフィルタを直接実装する等、フィルタバンク３０４を実現する他の方法がある。実施例に示すフィルタは、部分和もしくは全体和の、位相の線形性およびフラットなパスバンド特性を保つ特性を有していなければならない。
【００１７】
出力Ｙ０（ｎ）−Ｙ１５（ｎ）が、入力信号Ｉ１，Ｑ１に対応するダウンサンプルされた信号と等価になるように、サブバンド構造によって合計される。ここで、ｎは、時間イ
ンデックスである。各出力信号Ｙ０（ｎ）−Ｙ１５（ｎ）は、これまでのバンドパスフィルタより帯域が１５ＫＨｚ広い特性である、所定のパスバンドを有するバンドパスフィルタである。出力Ｙ０（ｎ）−Ｙ１５（ｎ）は、積算サブバンド構造３２２への入力として提供される。サブバンド構造３２２はバンドパスフィルタ信号である、信号ｗ９（ｎ）を除く、ローパスフィルタ信号ｗ０（ｎ）−ｗ８（ｎ）
の設定を形成する。後続の各ローパスフィルタのパスバンドは、先のローパスフィルタよりも帯域が１５ＫＨｚ、広い。信号ｗ０（ｎ）−ｗ９（ｎ）を図７に示す。出力信号ｗ０（ｎ）−ｗ９（ｎ）の設定は、積算サブバンドの電力推定器／スイッチ制御回路３２４の入力端末へ提供され、信号ｗ０（ｎ）−ｗ９（ｎ）は、８つのセレクタ３２６のうちの１つの入力部へ供給される。実施例に示した中で、１６個のバンドパスフィルタ信号Ｙ０（ｎ）−Ｙ１５（ｎ）が使われている、ということに留意すべきである。しかしながら、他の実施例においては、１６回以上や１６回以下でフィルタリングされた信号もある。
【００１８】
積算サブバンドの電力推定器／スイッチ制御回路３２４は、信号ｗ０（ｎ）−ｗ９（ｎ）を受信し、各信号の出力を推定する。電力推定器は、所定のしきい値と比較され、付近の基地局による干渉があるか否かを、決定すべく用いられる。付近の基地局による干渉がある場合、制御信号は、より小さいパスバンドを有するローパス信号を選択すべく、８つのセレクタ３２６からの１つへ供給される。付近の基地局による干渉が検知されない場合、電力推定器は、基地局が強いか否かよりも、所望の基地局が比較的微弱の基地局で、異なるパスバンドが必要か否かを決定すべく用いられる。積算サブバンドの電力推定器／スイッチ制御回路３２４の機能を図５を検討しながら以下にさらに詳細に記す。８つのセレクタ３２６のうちの１つは、２４０ＫＳ／ｓの速度でＩ１’，Ｑ１’を供給するための出力部を有する。
【００１９】
動作中、デシメータ３０２は、ＩＰユニット１１４から、ディジタル化された同相信号と直交信号Ｉ１とＱ１を受信する。デシメータ３０２は、バンドパスフィルタとして働き、ストップバンドを更に減衰し、４８０ＫＳ／ｓ（キロサンプル／秒）から２４０ＫＳ／ｓへも、サンプル速度の低減を可能にする。デシメータの更なる減衰によって、より簡易なフィルタバンクを
が可能になり、サンプル速度の低減が、フィルタ部２００を実行するのに必要となる演算処理を低減する。図に示した実施例において、ナイキスト周波数のバンド幅は、Ｍ個のサブバンドに区切られる。ここでＭは、１６に等しい。他の実施例において、Ｍはあらゆる数のサブバンドが可能である。フィルタバンク３０４は、特定の特性を有するように設計された多くのサブバンドからなるので、サブバンドが集まると全ての信号が形成される。フィルタバンク３０４のバンド幅制御は、転送機能やフィルタの選択による影響を受けない。これは、状態をチェックするためにフィルタのバンド幅を広げる必要性、それによってフィルタを介した信号が劣化する危険性を除去する。ディジタルフィルタバンク３０４は、導体１２８で受信された信号を、複数のサブバンド信号に分解する。各サブバンドフィルタは、線形位相応答を有する。いくつかの、あるいは全てのサブバンドフィルタが合計されると、フラットなパスバンドや線形位相のバンドパスフィルタが得られる。図４に、サブバンドを合計する方法について、詳細を示す。
【００２０】
図４は、論理ダイヤグラム形式による、図３の積算サブバンド構造３２２を示す。積算サブバンド構造３２２は、図６に示す、複雑なバンドパスフィルタ信号Ｙ０（ｎ）−Ｙ１５（ｎ）を合計するための、複数の合算回路４２４、４２６、４２８、４３０、４３２、４３４、４３６、４３８、および４４０を含み、図７に示す、複雑な積算ローパスフィルタ信号ｗ０（ｎ）−ｗ９（ｎ）を生成する。留意すべきは、Ｙ０（ｎ）
は合計されず、通過してｗ０（ｎ）になる。なぜならば、中心周波数は０ヘルツであるからである。信号は合算されてＹ７（ｎ），Ｙ８（ｎ），およびＹ９（ｎ）は、ｗ９（ｎ）になるということに留意する。ＦＭでは、第１の近接する干渉が所望の信号からの約１０
０−２００ＫＨｚであるために、Ｙ７（ｎ），Ｙ８（ｎ），およびＹ９（ｎ）は、近接する干渉として扱われる。また、サンプル速度は２４０ＫＳ／ｓであり、これは、装置が約１２０ＫＨｚで認識され得る最大周波数を意味する。従って、ＲＦ部分、およびその他の前置フィルタによってフィルタリングした後（デシメータ３０２による前置フィルタリング等）、残りの干渉エネルギーが、最も高い周波数サブバンド域に集中する。
【００２１】
図５は、ブロックダイヤグラム形式による、図３の積算サブバンド電力推定器／スイッチ制御回路３２４を示す。積算サブバンド電力推定器／スイッチ制御回路３２４は、各積算ローパスフィルタ信号ｗ０（ｎ）−ｗ９（ｎ）の個々の評価電力を決定するための、複数の電力推定器５０２、５０４、５０６、５１０、５１４、５１６、および５１８を含む。電力推定器５０２は、デシメータ５２１、絶対値計算器５２０、およびＬＰＦ５２２を含む。各々の他の電力推定器は、電力推定器５０２に類似している。スイッチ制御回路３２４は、乗算器５１１、５１３、および５１５、比較器５２４、５２６、および５２８、マルチプレクサ５３２、そしてデシメータ５３３も含む。各電力推定の決定前に、信号ｗ０（ｎ）−ｗ９（ｎ）は、２の因数によってダウンサンプルされる。例えば、ｗ０（ｎ）は、デシメータ５２１を用いてダウンサンプルされる。しかしながら、他の実施例においては、電力推定のサンプル速度が、さらに低減してもよい。図に示した実施例においては、電力推定が用いられているということに留意する。他の実施例において、例えば、サブバンド信号の振幅やエネルギー等の、他のパラメータが観察されてもよい。
【００２２】
近接する基地局による干渉があるか否かを決定するために、ＬＰＦ５１０の出力は、「干渉しきい値１」と名付けられた、乗算器５１１による干渉しきい値によって増幅される。比較器５２８は、乗算器５１１の出力と、「干渉表示器」と名付けられた干渉表示信号を生成する電力推定器５１８の出力とを比較する。干渉表示器は、マルチプレクサ５３２の制御入力として用いられる。ＬＰＦ５１８の出力が乗算器５１１の出力より大きい場合、干渉が現れる。ＬＰＦ５１２の出力は、干渉しきい値２によって乗算され、その結果が比較器５２４を用いて、ＬＰＦ５１０の出力と比較される。ＬＰＦ５１０が乗算器５１３の出力より大きい場合、Ｗ５（ｎ）が、出力になるように、８つのセレクタ３２６のうちの１つによって選択される。乗算器５１３の出力がＬＰＦ５１０の出力より大きい場合、Ｗ４（ｎ）が、ライン２０２上の、図２のチャネル処理ユニット２０６への出力になるように、８つのセレクタ３２６のうちの１つによって選択される。
【００２３】
比較器５２８の出力によって、近接する基地局による干渉がないと示された場合、ＬＰＦ５１０の出力は、所望の基地局の信号が弱いと区分され得るか否かを決定する比較器５２６によって、「拡張しきい値１」と名付けられた拡張しきい値と比較される。信号が比較的強いと区分される場合、ｗ８（ｎ）は、８つのセレクタ３２６のうちの１つによる出力として選択される。信号が弱い場合、ＬＰＦ５１０の出力は、乗算器５１５を用いる、「拡張しきい値２」と名付けられた拡張しきい値によって乗算される。通常、ＦＭ信号のバンド幅は、約７５ＫＨｚ（シングルサイド）であるので、ローパスフィルタ信号Ｗ５（ｚ）（約７５ＫＨｚのバンド幅を有する）は、ほとんどの所望の信号エネルギーを含んでいる。乗算器５１５の出力は、ＬＰＦ５０２から順に開始される比較器５３０によって、ＬＰＦ５０２、５０４、５０６、５０８、および５０９と比較される。ＬＰＦ５０２の出力が乗算器５１５の出力より大きい場合、ｗ０（ｎ）は、出力としての８つのセレクタ３２６のうちの１つによって選択される。なぜならば、実験によって、ｗ０（ｎ）は、殆どの所望の基地局信号のエネルギー含まれるように決定されてきたからであり、その結果、所望の基地局を良く代表する。信号ｗ０（ｎ）が十分強くない場合、乗算器５１５の出力の好ましくない比較が表示され、次に、乗算器５１５の出力と比較するためにｗ１（ｎ）が用いられる。同様に、以前の比較が好ましくない場合、ＬＰＦ５０６、５０８、５０９をそれぞれ介して、以降に続くｗ２（ｎ），ｗ３（ｎ），ｗ４（ｎ）までの信号が、乗算器５１５の出力と比較される。なぜならば、近接する基地局同士の干渉の測定、および弱
い基地局の測定は高いサンプル速度（例えば、１２０ＫＳ／ｓ）における出力である必要がないので、サンプル速度は、更に必要な計算処理数を減らすデシメータを用いて低減される。図に示す実施例は、ＬＰＦ５を活用していない。
【００２４】
上述の図３、４で検討したように、図６は、図３におけるＩＤＦＴ３２０出力部のスペクトル分布のグラフ表示であり、図７は、図３における積算サブバンド構造３２２出力部のスペクトル分布のグラフ表示である。
【００２５】
ステータス回路（図示せず）が、サブバンドが出力部になることを可能にし、受信品質の継続を可能にする表示を備える、フィルタ２００と共に含まれてもよい。本発明は、例えば、ＦＭ受信器、ＡＭ受信器、陸上用携帯電話、テレビジョン受像器、パーソナルディジタル補助製品、コンピュータ、無線通信装置、衛生放送受信器、あるいはＯＦＤＭ（直交周波数分割多重）受信器等の多くの、あらゆる製品に使用され得る。
【００２６】
上述のようなフィルタ２００が実現することによって、近接するチャネルエネルギーを除去し、低い周波数の偏差やノイズ状況におけるフィルタの有効なバンド幅を圧縮するために、最も適したパスバンドを備えるフィルタの自動選択が可能となる。さらに、フィルタ２００は、これまでのいくつかのＩＦフィルタの実施例と比べ、比較的複雑ではない実装で、上述の機能性を提供する。
【００２７】
上述の明細書において、本発明は具体的な実施例を参照して、説明がなされてきた。しかしながら、当業者は様々な改良および変更が、以下の特許請求の範囲に記載の本発明の範囲から逸脱せずになされ得ることを理解するであろう。さらに、明細書および図面は、制限するという意味よりむしろ、説明に役立つというためのものであり、改良等の全てのものは、本発明の特許請求の範囲に含まれることを目的とする。
【００２８】
この問題に対する価値、他の利点、および解決策は、具体的な実施例を
用いて上述してきた。しかしながら、問題に対する価値、利点、解決策、および、より明白になるための価値、利点や、解決策を引き起こす、あらゆる要素は、全ての特許請求の範囲における、臨界的な、必要不可欠な特徴や要素とは解釈されない。上記に用いたように、語句「構成する」、「構成すること」や他のあらゆる改変が、非排他的な包括を網羅することを目的とするので、工程、方法、条項や、要素のリストを構成する装置が、これらの構成要素のみを含むのではなく、明確にリスト化されていない他の構成要素や、工程、方法、条項や装置等の本来備わっているものを含んでいてもよい。  
【図面の簡単な説明】
【００２９】
【図１】ブロックダイヤグラム形式による、本発明の１つの実施例による無線受信器を示す図。
【図２】ブロックダイヤグラム形式による、図１のベースバンドユニットの詳細な部分図。
【図３】ブロックダイヤグラム形式による、図２のＩＦフィルタの詳細な部分図。
【図４】論理ダイヤグラム形式による、図３の積算サブバンドの構成図。
【図５】ブロックダイヤグラム形式による、図３の積算サブバンドのパワー推定器／スイッチ制御回路図。
【図６】図３のＩＤＦＴの出力部のスペクトル分散のグラフ表示図。
【図７】図３の積算サブバンド構成の出力部におけるスペクトル分散のグラフ表示図。
【図１】
2005536109.tif 000004
【図２】
2005536109.tif 000005
【図３】
2005536109.tif 000006
【図４】
2005536109.tif 000007
【図５】
2005536109.tif 000008
【図６】
2005536109.tif 000009
【図７】
2005536109.tif 000010
【国際調査報告】
2005536109.tif 000011
2005536109.tif 000012